(57)【特許請求の範囲】
【請求項１】
少なくとも有価価値情報を記憶し、記憶した有価価値情報の範囲内で有価価値を使用可能であるとともに、有価価値を使用した場合に、記憶した有価価値情報から使用した有価価値を減算して残有価価値情報として再記憶し、当該残有価価値を穿孔により視認可能に表示する磁気カードにおいて、
上記磁気カードの表裏両面の上記穿孔に対応する位置に、当該穿孔により残有価価値を表す残有価価値報知部をそれぞれ設け、
上記残有価価値報知部の帰零表示を行う残有価価値表示は、穿孔する領域内の帰零穿孔位置に重ねて印刷し、残有価価値が帰零した際の帰零穿孔により毀損されるようにしたことを特徴とする磁気カード。
【請求項２】
前記帰零表示を行う残有価価値表示は、他の残有価価値表示とは異なる形態で表示されていることを特徴とする請求項１に記載の磁気カード。
【請求項３】
前記帰零表示を行う残有価価値表示は、他の残有価価値表示とは異なった色彩を用いて表示されていることを特徴とする請求項１記載の磁気カード。
【発明の詳細な説明】
【０００１】
【発明の属する技術分野】
本発明は、磁気カードに関し、特に、磁気カードに記憶した有価価値の残度数を視覚を通して容易に確認できるようにしたものである。
【０００２】
【従来の技術】
従来、この種の磁気カードは、公衆電話や、交通機関や、パチンコ遊技店等で、プリペイドカードとして使用されている。
この磁気カードの表面あるいは裏面には、有価価値情報やセキュリティ情報等が、磁気的手段あるいは光学的手段等により、視認不能に記憶されている。
そして、磁気カードに記憶された有価価値の範囲内で、公衆電話を使用したり、交通機関を利用したり、パチンコ遊技店で遊技を行ったりすることができる。
【０００３】
この磁気カードを使用するには、磁気カードをカードリーダライタ内に挿入し、カードリーダライタでは、磁気カードに記憶された有価価値情報等を読み取って、記憶された有価価値の範囲内で公衆電話等を使用させ、記憶された有価価値情報から使用した有価価値を減算して残有価価値情報として再記憶する。
また、残有価価値を視認可能に表示するため、磁気カードに有価価値の残度数の目安表示を行い、この目安表示に対応した位置に穿孔を行っている。
【０００４】
【発明が解決しようとする課題】
しかし、上記した従来の磁気カードでは、残度数の目安表示は、磁気カードの片面のみに行われているので、残度数の目安表示が無い面を見ただけでは、穿孔がどのような有価価値の残度数を表しているのかを認識することができないという問題があった。
また、磁気カードのデザイン上の制約から、有価価値の残度数の目安表示を行っていない磁気カードも存在し、この磁気カードでは、穿孔がどのような有価価値の残度数を表しているのかを全く認識することができない。
【０００５】
例えば、パチンコ遊技店等のように、多数の磁気カードが使用される場所では、磁気カード所有者は有価価値が帰零した磁気カードを無造作に捨ててしまう場合が少なくない。このため、遊技店員等が、捨てられた磁気カードを回収するのであるが、捨てられたと思って回収した磁気カードが未だ帰零したものではなく、磁気カード所有者が一時的に放置したものである可能性もあり、磁気カード所有者との間で無用な争いが生じるおそれがあった。
【０００６】
このため、磁気カードを回収する遊技店員等は、その都度カードを裏返すなどして有価価値の残度数の目安表示が行われている磁気カード面を確認しなくてはならず、磁気カードの回収作業が面倒なものとなっていた。
【０００７】
そこで、本発明は、記憶した有価価値の残度数が帰零したことを一目見ただけでも容易に確認することができる磁気カードを提供することを目的とする。
【０００８】
【課題を解決するための手段】
本発明は、上記した目的を達成するために提案されたものであり、請求項１に記載のものは、少なくとも有価価値情報を記憶し、記憶した有価価値情報の範囲内で有価価値を使用可能であるとともに、有価価値を使用した場合に、記憶した有価価値情報から使用した有価価値を減算して残有価価値情報として再記憶し、当該残有価価値を穿孔により視認可能に表示する磁気カードにおいて、
上記磁気カードの表裏両面の上記穿孔に対応する位置に、当該穿孔により残有価価値を表す残有価価値報知部をそれぞれ設け、
上記残有価価値報知部の帰零表示を行う残有価価値表示は、穿孔する領域内の帰零穿孔位置に重ねて印刷し、残有価価値が帰零した際の帰零穿孔により毀損されるようにしたことを特徴とする磁気カードである。
【０００９】
この磁気カードには、有価価値情報が記憶されていて、磁気カード所有者は、記憶された有価価値情報の範囲内で有価価値を使用することができる。例えば、パチンコ遊技店において１，０００円の有価価値情報を記憶した遊技カードを所有する遊技者は、この遊技カードを球貸機に挿入することにより、１，０００円分までのパチンコ球の貸与を受けて、パチンコ機における遊技を行うことができる。
そして、磁気カードに記憶された有価価値を使用した場合には、記憶された有価価値情報から使用した有価価値が減算されて、残有価価値情報として再記憶される。
また、残有価価値を視認可能に表示するため、残有価価値に対応する位置に穿孔が行われる。
そして、磁気カードの表裏両面には、残有価価値を表示する穿孔に対応する位置に、当該穿孔により表示する残有価価値を表す残有価価値報知部を設けてあり、磁気カードの表裏どちらの面を見ても、穿孔に対応する残有価価値報知部を目安にして有価価値の残度数を認識することができる。
したがって、いちいち磁気カードを裏返すことなく、容易に磁気カードに記憶した有価価値の残度数を認識することができる。
【００１０】
そして、帰零表示を行う残有価価値表示は、上記穿孔領域内の帰零穿孔位置に重ねて印刷して、帰零穿孔により毀損されるようにしたので、残有価価値表示を確認するだけで、帰零した磁気カードであるか否かを容易に認識することができる。
【００１１】
請求項２に記載したように、帰零表示を行う残有価価値表示は、他の残有価価値報知部とは異なる形態で表示してもよい。
【００１２】
また、請求項３に記載したように、帰零表示を行う残有価価値表示は、他の領域と異なった色彩を用いて表示してもよい。
【００１３】
【発明の実施の形態】
以下、図面に基づいて、本発明の実施の形態を説明する。
図１は、本発明の第１の実施形態に係る磁気カードを示したもので、図１（Ａ）は磁気カードの正面図、図１（Ｂ）は図１（Ａ）に示した磁気カードの天地を逆にした磁気カードの裏面図である。
【００１４】
本発明の第１の実施形態に係る磁気カード１は、合成樹脂製あるいは紙製のカードからなり、例えば、公衆電話や、交通機関や、パチンコ遊技店等で、プリペイドカードとして使用されるものである。
【００１５】
この磁気カード１の表面あるいは裏面には、有価価値情報やセキュリティ情報等が、磁気的手段あるいは光学的手段等により、視認不能に記憶されている。
【００１６】
また、磁気カード１の表面には、図１（Ａ）に示すように、長手方向の一端部に、カードリーダライタへの挿入方向を示す挿入方向指示部２が施してあるとともに、長手方向に沿った一側に、有価価値の残度数を表示する残有価価値報知部３が設けてある。なお、挿入方向指示部２は、印刷による表示に限らず、例えば図１（Ａ）中点線で示すように、略円弧状に切り欠いて形成してもよい。
【００１７】
そして、図１（Ｂ）に示すように、磁気カード１の裏面にも、上記した磁気カード１の表面に設けた残有価価値報知部３に背向して、残有価価値報知部３′が設けてある。
この残有価価値報知部３，３′は、磁気カード１に記憶された有価価値情報の残度数の目安を表示するもので、例えば、図１に示したような、発行当初に１，０００円の有価価値情報を記憶した磁気カード１では、５００円を表す「５０」，３００円を表す「３０」，１００円を表す「１０」，有価価値情報の帰零を表す「０」などの数字が表示されている。
【００１８】
残有価価値を表す穿孔４は、この残有価価値報知部３，３′に対応して行われる。すなわち、磁気カード１の表面では、図１（Ａ）に示すように、残有価価値報知部３の下側に沿って穿孔領域が設定されており、この穿孔領域内の所定位置（残有価価値の大きさに応じて設定された所定の位置）に穿孔４が行われ、この穿孔４はカードを貫通して行われるので、磁気カード１の裏面では、図１（Ｂ）にように、残有価価値報知部３′の上側に位置している。
【００１９】
したがって、磁気カード１が表面を上にして、或は裏面を上にして置かれていても、穿孔４に対応した残有価価値報知部３，３′を一目見るだけで、当該磁気カード１の残有価価値を容易に把握することができる。
【００２０】
次に、図２に基づき、本発明の第２の実施形態に係る磁気カードを説明する。図２は、本発明の第２の実施形態に係る磁気カードを示したもので、図２（Ａ）は磁気カードの正面図、図２（Ｂ）は図２（Ａ）に示した磁気カードの天地を逆にした磁気カードの裏面図である。
【００２１】
この磁気カード１０の表面あるいは裏面には、第１実施形態と同様に、有価価値情報やセキュリティ情報等が、磁気的手段あるいは光学的手段等により、視認不能に記憶されており、磁気カード１０の表面には、図２（Ａ）に示すように、長手方向の一端部に、カードリーダライタへの挿入方向を示す挿入方向指示部２が施してあるとともに、長手方向に沿った一側に、有価価値の残度数を表す残有価価値報知部３が設けてある。
そして、図２（Ｂ）に示すように、磁気カード１０の裏面にも、上記した磁気カード１０の表面に設けた残有価価値報知部３に背向して、残有価価値報知部３′が設けてある。
【００２２】
この残有価価値報知部３，３′のうち、帰零を表す「０」表示は、他の残度数の目安表示の「５０」，「３０」，「１０」とは異なる形態で表示されており、本実施形態では他の報知部（目安表示）よりも大きな文字で強調されて表示され、尚且つ帰零穿孔位置を特定して表示する帰零報知部１１となっている。即ち、この帰零報知部１１の大きな文字「０」で区画した領域の内部に、帰零の穿孔が行われるように、穿孔領域の帰零穿孔位置まで拡張して帰零穿孔位置に重ねて印刷されている。
【００２３】
残有価価値を表す穿孔４は、この残有価価値報知部３，３′に対応して行われる。すなわち、磁気カード１０の表面では、図２（Ａ）に示すように、残有価価値報知部３の下側に沿った穿孔領域内に穿孔４が行われ、カードを貫通するこの穿孔４は、磁気カード１０の裏面では、図２（Ｂ）に示すように、残有価価値報知部３′の上側に位置している。そして、磁気カード１０の表裏面とも、この帰零を表す「０」表示の内部に、残有価価値が帰零した旨の穿孔４が行われる。即ち、帰零を表す「０」表示が帰零穿孔により毀損される。
【００２４】
したがって、この帰零報知部１１の「０」内に穿孔が有るか無いかを一目見るだけで、当該磁気カード１０の帰零を容易に認識することができる。
【００２５】
次に、図３に基づき、本発明の第３の実施形態に係る磁気カード１０を説明する。図３は、本発明の第３の実施形態に係る磁気カードを示したもので、図３（Ａ）は磁気カードの正面図、図３（Ｂ）は図３（Ａ）に示した磁気カードの天地を逆にした磁気カードの裏面図である。
【００２６】
この磁気カード２０の表面あるいは裏面には、前記実施形態と同様に、有価価値情報やセキュリティ情報等が、磁気的手段あるいは光学的手段等により、視認不能に記憶されている。
また、磁気カード２０の表面には、図２（Ａ）に示すように、長手方向の一端部に、カードリーダライタへの挿入方向を示す挿入方向指示部２が施してあるとともに、長手方向に沿った一側に沿って、有価価値の残度数を明示的に表示する残有価価値報知部３が設けてある。
そして、図３（Ｂ）に示すように、磁気カード２０の裏面にも、上記した磁気カード２０の表面に設けた残有価価値報知部３に背向して、残有価価値報知部３′が設けてある。
【００２７】
残有価価値を表す穿孔４は、この残有価価値報知部３，３′を印刷する残有価価値報知部表示領域に沿って、尚且つ重ねて設定された穿孔領域内で残有価価値報知部３，３′に対応して行われる。すなわち、磁気カード２０の表裏面で、図３（Ａ）（Ｂ）に示すように、残有価価値報知部３，３′の上に重ねて穿孔４が行われる。なお、残有価価値報知部３，３′における残有価価値の表示を認識できるように、「５０」，「３０」,「１０」の残有価価値表示の位置では、残有価価値表示を避けて穿孔４が行われ、帰零を表す「０」の位置では、この「０」上に重ねて穿孔４が行われ、帰零穿孔４を行うと、帰零を表す「０」表示が毀損されて消滅するように配置されている。
【００２８】
したがって、帰零を表す「０」表示が穿孔４によって毀損されて消滅しているか否かを確認するだけで、当該磁気カード２０の帰零を一目で容易に認識することができる。
【００２９】
次に、図４に基づき、本発明の第４の実施形態に係る磁気カードを説明する。図４は、本発明の第４の実施形態に係る磁気カードを示したもので、図４（Ａ）は磁気カードの正面図、図４（Ｂ）は図４（Ａ）に示した磁気カードの天地を逆にした磁気カードの裏面図である。
【００３０】
この磁気カード３０の表面あるいは裏面には、前記実施形態と同様に、有価価値情報やセキュリティ情報等が、磁気的手段あるいは光学的手段等により、視認不能に記憶されている。
また、磁気カード３０の表面には、図４（Ａ）に示すように、長手方向の一端部に、カードリーダライタへの挿入方向を示す挿入方向指示部２が施してあるとともに、長手方向に沿った一側に、有価価値の残度数の目安を表示する残有価価値報知部３が設けてある。
そして、図４（Ｂ）に示すように、磁気カード３０の裏面にも、上記した磁気カード３０の表面に設けた残有価価値報知部３に背向して、残有価価値報知部３′が設けてある。
【００３１】
また、残有価価値報知部３，３′のうち、帰零を表す帰零報知部３１には、磁気カード１０の他の領域とは異なった色彩で正方形のマークが設けられている。この正方形のマークは、帰零を表す「０」表示に対応する帰零穿孔４の位置に合わせて（重ねて）表示されていて、例えば、赤色、金色、蛍光色等の目立つ色彩が施されている。
【００３２】
残有価価値を表す穿孔４は、この残有価価値報知部３，３′に対応して行われる。すなわち、磁気カード３０の表面では、図４（Ａ）に示すように、残有価価値報知部３の下側に穿孔４が行われ、カードを貫通したこの穿孔４は、磁気カード３０の裏面では、図４（Ｂ）に示すように、残有価価値報知部３′の上側に位置する。そして、磁気カード３０の表裏面とも、この帰零を特定する帰零報知部３１である正方形のマーク内に、残有価価値を表す穿孔４が行われる。
【００３３】
したがって、この正方形のマーク内に穿孔４が存在するか否かを確認するだけで、当該磁気カード３０が帰零したものであるかを容易に認識することができ、しかも、マークには目立つ着色が施されているので、マーク自体を見つけ易く、穿孔の有無も判別し易い。
【００３４】
なお、上記した第１の実施形態から第４の実施形態に係る磁気カード１，１０，２０，３０において、残有価価値報知部３に表示する残度数の目安は、発行当初に磁気カード１，１０，２０，３０に記憶された有価価値情報に対応して適宜変更することができる。また、残有価価値報知部３，３′に表示する残度数の表示は、上記したような数字だけではなく、残度数を表す識別記号であってもよい。
【００３５】
次に、図５に基づき、上記した磁気カード１，１０，２０，３０に記憶した有価価値情報等を読み取って、有価価値情報の減算処理や更新記憶処理を行うとともに、残有価価値を表す穿孔４を行うカードリーダライタについて説明する。
【００３６】
図５は、カードリーダライタの概略構成を示した縦断面図である。
このカードリーダライタ４０は、カード挿排出口４１からカードリーダライタ４０の奥に向かってカード搬送路４２を設け、このカード搬送路４２には、一対のローラ４３，４３に掛け渡された搬送ベルト４４が臨んでいる。そして、ローラ４３の一側には、モータ４５が取り付けてあり、モータ４５を作動することにより搬送ベルト４４を駆動することができる。なお、図面には示さないが、搬送ベルト４４の上面にはカードを押えるローラが適宜な間隔で配設されている。また、これらカード押えローラを設ける代わりに、搬送ベルトを上下対にして設け、両ベルトでカードを挟み付けてもよい。この場合、後述するヘッド等に当る部分を避けてベルトを配置する。
【００３７】
また、カード搬送路４２上には、カード挿排出口４１付近に、カードの挿入を検知してモータ４５を駆動させる挿入検出センサ４６を設け、カード搬送路４２の途中には、磁気カード１，１０，２０，３０に記憶した有価価値情報やセキュリティ情報を読み取るとともに、有価価値情報の書き換えを行うリードライトヘッド４７と、磁気カード１０に残有価価値を表示するための穿孔を行う穿孔パンチ機４８とを設けてあり、カード搬送路４２の奥側には、カードリーダライタ４０の奥側に向かって搬送されてきた磁気カード１，１０，２０，３０の先端位置を検出して搬送動作を停止したり、カードの搬送方向をカード挿排出口４１に向かって反転するための検出センサ４９が設けてある。
【００３８】
磁気カード１，１０，２０，３０をカードリーダライタ４０のカード挿排出口４１から挿入すると、挿入検出センサ４６が磁気カード１，１０，２０，３０の先端部を検出してモータ４５を作動し、搬送ベルト４４を駆動してカード搬送路４２上の奥側に向かって磁気カード１，１０，２０，３０を搬送する。
【００３９】
磁気カード１，１０，２０，３０は、カード搬送路４２上を搬送される過程で、カードリーダライタ４０により、記憶した有価価値情報やセキュリティデータ等が読み取られる。そして、読み取った有価価値情報の範囲内で有価価値が使用されると、使用した有価価値を減算して残有価価値情報が再記憶される。また、減算した結果、再記憶する残有価価値情報がカードに記載された残有価価値情報部３，３′の値になった場合には、即ち「５０」，「３０」，「１０」に対応する残有価価値になると、当該残有価価値情報の値に応じて搬送ベルト４４がカードを前後に移動して、カードの位置を調整し、このカード位置調整が終了すると穿孔パンチ機４８により、残有価価値を表示するための穿孔４が、残有価価値情報部３，３′の近傍に行われる。したがって、再記憶する残有価価値情報が「３０」に対応する値の時には、カードの前後位置が「３０」に合うように調整され、穿孔４が「３０」の近傍に行われる。また、残有価価値情報がすべて使用されて帰零すると、搬送ベルト４４がカードを移動して帰零報知部１１である「０」の上下にパンチが位置するようにカード停止位置を調整し、この位置調整が終了すると穿孔パンチ機４８が帰零報知部１１である「０」近傍、或は帰零報知部１１上に穿孔４を行う。
【００４０】
この様にして、再記憶工程が終了すると、或は穿孔も含めての再記憶工程が終了すると、磁気カード１，１０，２０，３０はカードリーダライタ４０の奥側まで搬送され、磁気カード１，１０，２０，３０の先端が、検出センサ４９により検出されると、モータ４５を逆転させて搬送ベルト４４を逆方向に駆動する。したがって、磁気カード１，１０，２０，３０はカード挿排出口４１に向かって搬送され、カード排出口４１から排出される。
【００４１】
なお、カードリーダライタ４０の構造は、上記したものに限られず、磁気カード１，１０，２０，３０に記憶した有価価値情報を読み取って、使用した有価価値情報を減算した残有価価値情報を再記憶できるとともに、残有価価値の目安表示の穿孔４を行えれば、どのような構造のものであってもよい。
【００４２】
また、磁気カード１の情報改竄や変造を防止するために、磁気カードの全面或は少なくとも穿孔する穿孔領域にホログラム（ｈｏｌｏｇｒａｍ）処理を施し、このホログラム処理した穿孔領域に穿孔するように構成してもよい。ホログラムは、極く微細な凹凸を無数に形成し、これら凹凸による反射光波の干渉を利用するものなので、製造が容易ではない。このため、穿孔箇所が一層明確に判別することができるばかりでなく、不正行為者が、ホログラム処理を施した磁気カード自体を製造したり、或は穿孔４を塞ぐために貼るホログラムシール等を製造することが困難であり、改竄や変造の防止に実効がある。なお、ホログラム処理した磁気カード１を使用するカードリーダライタには、ホログラムを検出するホログラム検出器を設けることが望ましい。
【００４３】
【発明の効果】
以上説明したように本発明によれば、磁気カードの表裏両面に、残有価価値を表示する穿孔に対応する位置に、当該穿孔により表示する残有価価値を表す残有価価値報知部を設けてあるので、磁気カードの表裏どちらの面を見ても、穿孔に対応する残有価価値報知部を目安にして有価価値の残度数を一目で認識することができる。
したがって、いちいち磁気カードを裏返すことなく、容易に磁気カードに記憶した有価価値の残度数を認識することができる。
このため、使用可能な磁気カードと帰零した磁気カードとの選別を容易に行うことができ、パチンコ遊技店などにおいて、遊技機の前にある磁気カードや床に落ちている磁気カードを係員が回収する場合に、カードを手に取って裏返すことなくそのままの状態を一目見るだけで、帰零したカードか否かを判断することができ、遊技者との無用な争いを未然に回避しつつカード回収作業を能率良く行うことができる。そして、パチンコ遊技店ばかりでなく、公衆電話機周辺の清掃作業においても同様に、作業を容易に行うことが可能になる。
【００４４】
そして、残有価価値報知部の帰零表示を行う残有価価値表示が、穿孔する領域内の帰零穿孔位置に重ねて印刷されているので、残有価価値が帰零した際に、帰零穿孔は、帰零を表示する残有価価値表示上に重ねて行われ、この帰零穿孔により有価価値表示が毀損される。
したがって、帰零を表示する残有価価値表示が毀損されているか否かを確認するだけで、帰零した磁気カードであるか否かを一目で容易に判断することができる。
【００４５】
請求項２記載の発明では、帰零表示を行う残有価価値表示が、他の残有価価値報知部とは異なる形態で表示されているので、帰零した磁気カードか否かを一層容易に認識することができる。
【００４６】
請求項３記載の発明では、帰零表示を行う残有価価値表示が、他の領域と異なった色彩を用いて表示されているので、なお一層容易に発見し易い。したがって、帰零した磁気カードか否かをより一層容易に判断することができる。
【図面の簡単な説明】
【図１】本発明の第１の実施形態に係る磁気カードを示したもので、図１（Ａ）は磁気カードの正面図、図１（Ｂ）は図１（Ａ）に示した磁気カードの天地を逆にした磁気カードの裏面図である。
【図２】本発明の第２の実施形態に係る磁気カードを示したもので、図２（Ａ）は磁気カードの正面図、図２（Ｂ）は図２（Ａ）に示した磁気カードの天地を逆にした磁気カードの裏面図である。
【図３】本発明の第３の実施形態に係る磁気カードを示したもので、図３（Ａ）は磁気カードの正面図、図３（Ｂ）は図３（Ａ）に示した磁気カードの天地を逆にした磁気カードの裏面図である。
【図４】本発明の第１の実施形態に係る磁気カードを示したもので、図４（Ａ）は磁気カードの正面図、図４（Ｂ）は図４（Ａ）に示した磁気カードの天地を逆にした磁気カードの裏面図である。
【図５】カードリーダライタの概略構成を示した縦断面図である。
【符号の説明】
１  磁気カード（第１実施形態）
２  挿入方向指示部
３  カード表面の残有価価値報知部
３′カード裏面の残有価価値報知部
４  穿孔
１０  磁気カード（第２実施形態）
１１  帰零報知部
２０  磁気カード（第３実施形態）
３０  磁気カード（第４実施形態）
３１  帰零報知部
４０  カードリーダライタ
４１  カード挿排出口
４２  カード搬送路
４３  ローラ
４４  搬送ベルト
４５  モータ
４６  挿入検出センサ
４７  リードライトヘッド
４８  穿孔パンチ機
４９  検出センサ
【図１】
0003729543.tif 000002
【図２】
0003729543.tif 000003
【図３】
0003729543.tif 000004
【図４】
0003729543.tif 000005
【図５】
0003729543.tif 000006